(57)【特許請求の範囲】
【請求項１】
低周波信号に変換して出力すべき周波数を指定する指定手段と、前記指定された周波数を含む周波数帯をスキャンするスキャン手段と、前記指定された周波数とスキャン中の同調周波数とが一致したか否かを判断する判断手段と、前記指定された周波数とスキャン中の同調周波数とが一致したと判断されたときに前記指定された周波数情報をモールス符号に変換して、起振ユニットを用いたバイブレータ機能による振動で前記モールス符号を出力する出力手段とを備えたことを特徴とする無線受信機。
【請求項２】
低周波信号に変換して出力すべき周波数間隔を指定する間隔指定手段と、予め設定された周波数帯をスキャンするスキャン手段と、スキャン中の同調周波数が前記指定された周波数間隔だけ変化したか否かを判断する判断手段と、スキャン中の同調周波数が前記指定された周波数間隔だけ変化したと判断される度に、前記同調周波数情報あるいは前記同調周波数情報の一部をモールス符号に変換して、起振ユニットを用いたバイブレータ機能による振動で前記モールス符号を出力する出力手段とを備えたことを特徴とする無線受信機。
【請求項３】
請求項２の無線受信機に、出力手段へ入力される周波数情報を低周波信号に変換して出力する変換手段を付加し、出力手段は、スキャン中の同調周波数が前記指定された周波数間隔だけ変化したと判断される度に、前記同調周波数情報あるいは前記同調周波数情報の一部を前記変換手段を用いてモールス符号に変換して、起振ユニットを用いたバイブレータ機能による振動で前記モールス符号を出力するものとしたことを特徴とする請求項２に記載の無線受信機。
【請求項４】
請求項２の無線受信機に、出力手段へ入力される周波数情報をモールス符号に変換して出力する変換手段、および低周波信号に変換して出力する変換手段の両方を付加するとともに、前記モールス符号に変換して出力する変換手段、もしくは前記低周波信号に変換して出力する変換手段の何れかひとつを選択する選択手段を付加し、
出力手段は、スキャン中の同調周波数が前記指定された周波数間隔だけ変化したと判断される度に、前記同調周波数情報あるいは前記同調周波数情報の一部を前記選択手段によって選択された変換手段を用いて、モールス符号に変換して起振ユニットを用いたバイブレータ機能による振動で前記モールス符号を出力し、もしくは低周波信号に変換してスピーカから出力することを特徴とする請求項２に記載の無線受信機。
【発明の詳細な説明】
【０００１】
【発明の属する技術分野】
本発明は、無線通信機における周波数情報を視覚的情報以外、特には振動で出力する機能に関するものである。
【０００２】
【従来の技術】
従来より、無線通信機に発声機能を備え、例えば受信周波数を音声信号にて出力するように構成されたものがあった。これは、ハンディキャッパーのバリアフリーの観点から視覚障害者の便宜をはかることができるものであり、音声合成装置や音声メモリ等によって発声機能を実現していた。そして、発声するタイミングは、その無線通信機に備えられている発声機能選択スイッチをオンにした時点や、復調モードを変更した時点や、スキャン動作によって一定条件を満たしてスキャン動作が停止した時点や、メインダイヤルを操作して周波数が変更された時点に限られていた。
【０００３】
このような発声機能は、アマチュア無線機器によくみられる機能である。このアマチュア無線の楽しみ方は多種多様であるが、運用周波数や時間が予め判明している相手局とのいわゆるスケジュール交信よりも、その時点時点で任意に相手局を選局（選択）して交信する形態が、自己の能力訓練の視点で、古くからアマチュア無線運用者に好まれていた。かつては、選局用のメインダイヤルを運用者が自ら操作して選局していたが、簡素化が好まれる現代にあっては、スケルチ機能を動作させ、上下限周波数を設定し、その範囲内で周波数をスキャンして、スケルチオープンでスキャン動作が停止した際に、当該周波数情報を読みあげる機能を有したものがあった。
【０００４】
【発明が解決しようとする課題】
ところが、上述したようなスケルチ機能と連動した発声機能の場合では、スキャンストップが周波数情報を読みあげる条件となるため、スケルチに設定されたしきい値近傍の微弱信号をスキャン動作で捕捉したい場合には、一旦スケルチ動作を解除してスキャン動作を行い、手動でスキャン動作を停止させなければ、周波数情報の読みあげはできないという問題がある。このため、周波数により運用局が慣例等によって区分的に運用されている周波数帯、例えば、21ＭＨｚ帯では、無線電話の運用周波数帯は21.150ＭＨｚから 21.450ＭＨｚまでの300ＫＨｚという広い周波数帯域をスキャンする場合には、入感局を発見した際には随時その周波数情報を読みあげさせて確認しなければならなかった。また、仮に周波数情報を全て読みあげるとすると、その周波数情報を読みあげ終わる前に、スキャン動作によって次の運用局の周波数に到達するような場合には、その周波数を感知することができない場合が発生するという問題があった。
【０００５】
そこで、本発明は、受信機をスキャン動作させたときに、必要な周波数情報を振動によって出力することのできる機能の実現を目的としてなされたものである。
【０００６】
【課題を解決するための手段】
本発明にかかる請求項１の無線受信機においては、低周波信号に変換して出力すべき周波数を指定する指定手段と、前記指定された周波数を含む周波数帯をスキャンするスキャン手段と、前記指定された周波数とスキャン中の同調周波数とが一致したか否かを判断する判断手段と、前記指定された周波数とスキャン中の同調周波数とが一致したと判断されたときに前記指定された周波数情報をモールス符号に変換して、起振ユニットを用いたバイブレータ機能による振動で前記モールス符号を出力する出力手段とを備えた。
【０００７】
請求項２においては、低周波信号に変換して出力すべき周波数間隔を指定する間隔指定手段と、予め設定された周波数帯をスキャンするスキャン手段と、スキャン中の同調周波数が前記指定された周波数間隔だけ変化したか否かを判断する判断手段と、スキャン中の同調周波数が前記指定された周波数間隔だけ変化したと判断される度に、前記同調周波数情報あるいは前記同調周波数情報の一部をモールス符号に変換して、起振ユニットを用いたバイブレータ機能による振動で前記モールス符号を出力する出力手段とを備えた。
請求項３においては、上記請求項２の構成に、入力される周波数情報を低周波信号に変換して出力する変換手段を付加し、出力手段は、スキャン中の同調周波数が前記指定された周波数間隔だけ変化したと判断される度に、前記同調周波数情報あるいは前記同調周波数情報の一部を前記変換手段を用いてモールス符号に変換して、起振ユニットを用いたバイブレータ機能による振動で前記モールス符号を出力するものとした。
請求項４においては、上記請求項２の構成に、出力手段へ入力される周波数情報をモールス符号に変換して出力する変換手段、および低周波信号に変換して出力する変換手段の両方を付加するとともに、前記モールス符号に変換して出力する変換手段、もしくは前記低周波信号に変換して出力する変換手段の何れかひとつを選択する選択手段を付加し、
出力手段は、スキャン中の同調周波数が前記指定された周波数間隔だけ変化したと判断される度に、前記同調周波数情報あるいは前記同調周波数情報の一部を前記選択手段によって選択された変換手段を用いて、モールス符号に変換して起振ユニットを用いたバイブレータ機能による振動で前記モールス符号を出力し、もしくは低周波信号に変換してスピーカから出力するものとした。
【０００８】
【発明の実施の形態】
以下に、本発明にかかる無線受信機を、その実施の形態を示した図面に基づいて詳細に説明する。
【０００９】
図１は、本発明の請求項１に対応した一つの実施形態としての無線受信機のブロック構成図である。図１において、１は無線受信機であり、アンテナ11で受信した電波信号を受信部２で復調・増幅してスピーカ12から音響信号として出力するものである。前記受信部２における受信周波数（同調周波数）は、スキャン手段21によって実現されているスキャン機能によって、予め設定された周波数帯をスキャンすることができる。
【００１０】
３は指定手段であり、読みあげるべき周波数、即ち、受信したい周波数を無線受信機の操作手段（図示せず）を操作して指定する。
４は判断手段であり、前記指定された周波数とスキャン中の同調周波数とが一致したか否かを判断して判断出力を出力する。
５は出力手段であり、前記判断手段４から判断出力が出力されたときに前記指定手段３で指定された周波数に対応する情報をモールス符号に変換して、起振ユニットを用いたバイブレータ機能による振動で前記モールス符号を出力する。なお、モールス符号に対応する欧文符号に変換してもよい。また、モールス符号は、周波数の各桁の数字のモールス符号でもよい。
なお、周波数の一部の桁の数字を音声合成機能等によって読みあげた低周波信号に変換してもよく、音声合成機能等によって読みあげた低周波信号としても良く、合成音の音程に変換してもよい。
また、この低周波信号は前記受信部２の低周波増幅回路に入力されてスピーカ１２から音響信号として出力される。
【００１１】
従って、当該無線受信機１に備えられた表示装置（図示せず）を見なくても、自分が受信したい周波数で入感したことを確認することができるのである。また、複数の受信周波数を指定しておけば、それらの周波数で入感したことを順次確認することができる。
【００１２】
図２は、本発明の請求項４に対応した一つの実施形態としての無線受信機１'のブロック構成図である。
図２において、図１の構成と同様の構成は同じ符号11、12、２、21を付した。図２において、
３' は読みあげる周波数間隔を指定する間隔指定手段である。
４' は判断手段であり、スキャン手段21から出力される同調周波数が、前記指定された周波数間隔だけ変化する度に判断出力を出力する。
６は変換手段であり、詳細には以下の３つの要素から構成されている。即ち、61は同調周波数の百の位の数値を合成音声による低周波信号に変換する変換手段であり、62は同調周波数の百の位の数値をモールス符号の低周波信号に変換する変換手段であり、63は同調周波数の百の位の数値を合成音による所定の音程の低周波信号に変換する変換手段である。
７は前記複数の変換手段61、62、63の何れかを選択する選択手段である。
５は判断信号が入力される度に、変換手段62でモールス符号に変換して、起振ユニットを用いたバイブレータ機能による振動で前記モールス符号を出力するとともに、変換手段61、63で変換された低周波信号を受信部２の低周波増幅回路に出力してスピーカ１２から出力する出力手段である。
【００１３】
図２における指定手段３' は、請求項２における間隔指定手段に相当し、判断手段４' は請求項２における判断手段に相当し、出力手段５' は請求項２、３、４における出力手段に相当し、変換手段６は請求項３における変換手段に相当し、選択手段７は請求項４における選択手段に相当するものである。
【００１４】
以上の構成によって、指定された周波数間隔毎に、その周波数の百の位の数値を合成音声もしくはモールス符号もしくは合成音の音程に変換して、起振ユニットを用いたバイブレータ機能による振動で前記低周波信号を出力するとともに、スピーカからも出力するので、スケルチ動作をさせずにスキャン動作をさせる場合に、表示装置を見なくても、現在の周波数がスキャン範囲のどの辺りであるかを知ることができるのである。
また、随時スキャン動作を停止させる必要がない。
また、周波数の一部の数字を低周波信号に変換して、起振ユニットを用いたバイブレータ機能による振動で前記低周波信号を出力するので、スキャン動作に遅れることを防止でき、感知漏れを防止できる。モールス符号に変換するときには、数字が「１」、「２」、「３」・・・の場合にはそれぞれのモールス符号に対応した欧文符号として「Ｅ」、「Ｉ」、「Ｓ」・・・と変換して、そのモールス符号を、起振ユニットを用いたバイブレータ機能による振動で出力し、また、前記モールス符号を音声合成機能等によって読みあげた低周波信号に変換し、前記低周波信号を出力してもよい。
従って、視覚障害があっても、大きな支障無く無線受信機を運用して、多くの局の信号を受信することができるのである。
【００１５】
なお、低周波信号に変換する周波数の各位の数字は、百の位に限らず、千の位でも、千の位と百の位とでもよい。
【００１６】
【発明の効果】
本発明にかかる請求項１の無線受信機においては、指定された周波数とスキャン中の同調周波数とが一致したと判断されたときに、その周波数情報をモールス符号に変換して、起振ユニットを用いたバイブレータ機能による振動で前記モールス符号を出力するので、聴覚障害があっても振動で周波数を把握することができる。
【００１７】
請求項２においては、スキャン中の同調周波数が指定された周波数間隔だけ変化したと判断される度に、その周波数情報またはその一部をモールス符号に変換してそのモールス符号を振動で出力するので、聴覚障害があっても振動によってスキャン中の周波数を把握することができる。
請求項３においては、同調周波数情報あるいはその一部を変換手段を用いてモールス符号に変換して、そのモールス符号を振動によって出力することができる。
請求項４においては、変換手段を選択することによって、モールス信号の振動もしくは音階信号等の低周波信号の何れかひとつに変換して出力することができる。
【図面の簡単な説明】
【図１】本発明にかかる無線受信機の一つの実施の形態のブロック図である。
【図２】別の実施の形態のブロック図である。
【符号の説明】
１ 無線受信機
２ 受信部
３ 指定手段
４ 判断手段
５ 出力手段
１２  スピーカ
３' 間隔指定手段
４' 判断手段
５' 出力手段
６ 変換手段
61 変換手段
62 変換手段
63 変換手段
７ 選択手段
【図１】
0003953266.tif 000002
【図２】
0003953266.tif 000003